(57)【要約】      （修正有）【課題】符号分割多重アクセス通信システムにおいてマルチパートメッセージの受信を中断するか否かが、当該マルチパートメッセージの１部分を受信することで判断されることを提供する。【解決手段】マルチパートメッセージの受信した１部分と既知の系列との相関を取ることで、相関値を発生する。相関値は閾値レベルと比較される。もし、相関値が閾値レベルより小さいならば、マルチパートメッセージの受信は中断される。他の側面において、閾値レベルは、通信トラフィック挙動に基づいてダイナミックに調整される。通信トラフィック挙動とは、たとえば、特定のユーザ機器（ＵＥ）に向けられたトラフィックが、当該ＵＥに向けられたバーストの１部分であるか否かである。【選択図】図１
2010239630.tif 000002
【特許請求の範囲】
【請求項１】
コード分割多重アクセス通信システムにおけるマルチパートメッセージの受信を中断するか否かを判断する方法であって、
前記マルチパートメッセージの１部分を受信するステップと、
既知の系列と前記受信したマルチパートメッセージの１部分との相関による相関値を発生するステップと、
前記相関値を閾値レベルと比較するステップと、
前記相関値が前記閾値レベルより小さいとき、前記マルチパートメッセージの受信を中断するステップと、
を備えることを特徴とする方法。
【請求項２】
前記備えるステップは、
2010239630.tif 000020
として実行され、ここで、ｃはコード、ＭＬｃは各コードｃの最尤検出、Ｄは決定マトリクス、Ｖｃはコードｃの分散、τは閾値、ｎｃは多くのコードに対応する指標、Ｘ1_detectionは結果として得られるコードワード番号、ＭＬc_detectionは拡散コードc_detectionに対して最大相関を与えるコードワードの数、であることを特徴とする請求項１に記載の方法。
【請求項３】
前記比較するステップは、
2010239630.tif 000021
として実行され、ここで、ｃはコード、ＭＬｃは各コードｃの最尤検出、Ｄは決定マトリクス、Ｓｃはコードｃの標準偏差、τは閾値、ｎｃは多くのコードに対応する指標、Ｘ1_detectionは結果として得られるコードワード番号、ＭＬc_detectionは拡散コードc_detectionに対して最大相関を与えるコードワードの数、であることを特徴とする請求項１に記載の方法。
【請求項４】
前記比較するステップは、閾値と、最大相関と２番目に高い相関との間の比とを比較することにより実行されることを特徴とする請求項１に記載の方法。
【請求項５】
通信トラフィック挙動に基づいて、前記閾値レベルをダイナミックに調整するステップを更に備えることを特徴とする請求項１に記載の方法。
【請求項６】
前記通信トラフィック挙動は、特定のユーザ機器（ＵＥ）に向けられたトラフィックが該ＵＥに向けられたバーストの１部分であるか否かであることを特徴とする請求項５に記載の方法。
【請求項７】
前記特定のＵＥに向けられたトラフィックが該ＵＥに向けられたバーストの１部分であるか否かの検出は、前記ＵＥが直近の送信期間の数ｎの間の何れかで宛先とされたか否かの検出を含むことを特徴とする請求項６に記載の方法。
【請求項８】
前記数ｎは、１０に等しいことを特徴とする請求項７に記載の方法。
【請求項９】
前記通信トラフィック挙動は、特定のＵＥに向けられたトラフィックの新しさを含むことを特徴とする請求項５に記載の方法。
【請求項１０】
前記閾値レベルは、複数の可能な閾値レベルの何れか１つを取りうることを特徴とする請求項５に記載の方法。
【請求項１１】
前記特定のＵＥに向けられたトラフィックが該ＵＥに向けられたバーストの１部分であることが検出されたとき、前記閾値レベルが前記複数の可能な閾値レベルの中のより低い閾値レベルをとることを保証するステップと、
前記特定のＵＥに向けられたトラフィックが該ＵＥに向けられたバーストの１部分であることが検出されなかったとき、前記閾値レベルが前記複数の可能な閾値レベルの中のより高い閾値レベルをとることを保証するステップと、
を備えることを特徴とする請求項１０に記載の方法。
【請求項１２】
前記複数の可能な閾値レベルは、低い閾値レベル及び高い閾値レベルよりなることを特徴とする請求項１０に記載の方法。
【請求項１３】
中間閾値が前記複数の可能な閾値レベルの中の１つに設定され、前記中間閾値はフィルタされることを特徴とする請求項１０に記載の方法。
【請求項１４】
前記コード分割多重アクセス通信システムは、高速下り回線パケットアクセス(ＨＳＤＰＡ）システムであることを特徴とする請求項１に記載の方法。
【請求項１５】
前記マルチパートメッセージの１部分は、高速共有制御チャネルパート１（ＨＳ−ＳＣＣＨパート１）メッセージであることを特徴とする請求項１４に記載の方法。
【請求項１６】
前記ＨＳＤＰＡシステムは、可能な既知の系列のフルセットを含み、
前記相関値は、前記ＨＳ−ＳＣＣＨパート１メッセージに対し、可能な既知の系列の縮小セットのそれぞれとの相関により発生された相関値のセットの１つであり、
前記可能な既知の系列の縮小セットは、前記可能な既知の系列のフルセットから発生されることを特徴とする請求項１５に記載の方法。
【請求項１７】
前記可能な既知の系列の縮小セットは、有意なものを示す既知の系列のみを含むことを特徴とする請求項１６に記載の方法。
【請求項１８】
前記可能な既知の系列の縮小セットは、第１ユーザ機器（ＵＥ）の１つ以上の能力に関連する既知の系列のみを含み、
前記可能な既知の系列のフルセットは、前記第１ＵＥの１つ以上の能力に関連しない少なくとも１つの既知の系列を含み、該少なくとも１つの既知の系列は、第２ＵＥの１つ以上の能力に関連することを特徴とする請求項１６に記載の方法。
【請求項１９】
可能なコードワードのフルセットを含む高速ダウンリンクパケットアクセス（ＨＳＤＰＡ）システムにおける高速共有制御チャネルパート１（ＨＳ−ＳＣＣＨパート１）メッセージを復号する方法であって、
前記ＨＳ−ＳＣＣＨパート１メッセージを受信するステップと、
前記受信したＨＳ−ＳＣＣＨパート１メッセージに対して、可能なコードワードの縮小セットのコードワードの各々を相関させることにより相関値のセットを生成するステップと、
前記相関値のうち最高の相関値に関連する前記可能なコードワードの縮小セットのコードワードを復号された値として選択するステップと、
を備え、
前記可能なコードワードの縮小セットは、前記可能なコードワードのフルセットから生成されることを特徴とする方法。
【請求項２０】
前記可能なコードワードの縮小セットは、何らかの有意性を示すコードワードのみを含むことを特徴とする請求項１９に記載の方法。
【請求項２１】
前記可能なコードワードの縮小セットは、第１ユーザ機器（ＵＥ）の１つ以上の能力に関連するコードワードのみを含み、
前記可能なコードワードのフルセットは、前記第１ＵＥの１つ以上の能力に関連しない少なくとも１つのコードワードを含み、該少なくとも１つのコードワードは、第２ＵＥの１つ以上の能力に関連することを特徴とする請求項１９に記載の方法。
【請求項２２】
コード分割多重アクセス通信システムにおけるマルチパートメッセージの受信を中断するか否かを判断する装置であって、該装置は、
前記マルチパートメッセージの１部分を受信するロジックと、
前記受信したマルチパートメッセージの１部分と既知の系列との相関をとることにより相関値を発生するロジックと、
前記相関値を閾値レベルと比較するロジックと、
前記相関値が前記閾値レベルより小さいとき、前記マルチパートメッセージの受信を中断するロジックと、
を備えることを特徴とする装置。
【請求項２３】
比較する前記ロジックは、
2010239630.tif 000022
を実行し、ここで、ｃはコード、ＭＬｃは各コードｃの最尤検出、Ｄは決定マトリクス、Ｖｃはコードｃの分散、τは閾値、ｎｃは多くのコードに対応する指標、Ｘ1_detectionは結果として得られるコードワード番号、ＭＬc_detectionは拡散コードc_detectionに対して最大相関を与えるコードワードの数、であることを特徴とする請求項２２に記載の装置。
【請求項２４】
比較する前記ロジックは、
2010239630.tif 000023
を実行し、ここで、ｃはコード、ＭＬｃは各コードｃの最尤検出、Ｄは決定マトリクス、Ｓｃはコードｃの標準偏差、τは閾値、ｎｃは多くのコードに対応する指標、Ｘ1_detectionは結果として得られるコードワード番号、ＭＬc_detectionは拡散コードc_detectionに対して最大相関を与えるコードワードの数、であることを特徴とする請求項２２に記載の装置。
【請求項２５】
比較する前記ロジックは、閾値と、最大相関と２番目に高い相関との間の比とを比較することを特徴とする請求項２２に記載の装置。
【請求項２６】
通信トラフィック挙動に基づき、前記閾値レベルをダイナミックに調整するロジックを更に備えることを特徴とする請求項２２に記載の装置。
【請求項２７】
前記通信トラフィック挙動は、特定のユーザ機器（ＵＥ）に向けられたトラフィックが該ＵＥに向けられたバーストの１部分であるか否かであることを特徴とする請求項２６に記載の装置。
【請求項２８】
前記特定のＵＥに向けられたトラフィックが該ＵＥに向けられたバーストの１部分であるか否かを検出するロジックは、前記ＵＥが直近の送信期間の数ｎの間の何れかで宛先とされたか否かを検出するロジックを備えることを特徴とする請求項２７に記載の装置。
【請求項２９】
前記数ｎは、１０に等しいことを特徴とする請求項２８に記載の装置。
【請求項３０】
前記通信トラフィック挙動は、特定のＵＥに向けられたトラフィックの新しさを含むことを特徴とする請求項２６に記載の装置。
【請求項３１】
前記閾値レベルは、複数の可能な閾値レベルの何れか１つを取りうることを特徴とする請求項２６に記載の装置。
【請求項３２】
前記特定のＵＥに向けられたトラフィックが該ＵＥに向けられたバーストの１部分であることが検出されたとき、前記閾値レベルが前記複数の可能な閾値レベルの中のより低い閾値レベルをとることを保証するロジックと、
前記特定のＵＥに向けられたトラフィックが該ＵＥに向けられたバーストの１部分であることが検出されなかったとき、前記閾値レベルが前記複数の可能な閾値レベルの中のより高い閾値レベルをとることを保証するロジックと、
を備えることを特徴とする請求項３１に記載の装置。
【請求項３３】
前記複数の可能な閾値レベルは、低い閾値レベル及び高い閾値レベルよりなることを特徴とする請求項３１に記載の装置。
【請求項３４】
中間閾値が前記複数の可能な閾値レベルの中の１つに設定され、前記中間閾値はフィルタされることを特徴とする請求項３１に記載の装置。
【請求項３５】
前記コード分割多重アクセス通信システムは、高速下り回線パケットアクセス（ＨＳＤＰＡ）システムであることを特徴とする請求項２２に記載の装置。
【請求項３６】
前記マルチパートメッセージの１部分は、高速共有制御チャネルパート１（ＨＳ−ＳＣＣＨパート１）メッセージであることを特徴とする請求項３５に記載の装置。
【請求項３７】
前記ＨＳＤＰＡシステムは、可能な既知の系列のフルセットを含み、
前記相関値は、前記ＨＳ−ＳＣＣＨパート１メッセージに対し、可能な既知の系列の縮小セットのそれぞれと相関をとることで発生される相関値のセットの１つであり、
前記可能な既知の系列の縮小セットは、前記可能な既知の系列のフルセットから発生されることを特徴とする請求項３６に記載の装置。
【請求項３８】
前記可能な既知の系列の縮小セットは、有意なものを示す既知の系列のみを含むことを特徴とする請求項３７に記載の装置。
【請求項３９】
前記可能な既知の系列の縮小セットは、第１ユーザ機器（ＵＥ）の１つ以上の能力に関連する既知の系列のみを含み、
前記可能な既知の系列のフルセットは、前記第１ＵＥの１つ以上の能力に関連しない少なくとも１つの既知の系列を含み、該少なくとも１つの既知の系列は、第２ＵＥの１つ以上の能力に関連することを特徴とする請求項３７に記載の装置。
【請求項４０】
可能なコードワードのフルセットを含む高速ダウンリンクパケットアクセス（ＨＳＤＰＡ）システムにおける高速共有制御チャネルパート１（ＨＳ−ＳＣＣＨパート１）メッセージを復号する装置であって、
前記ＨＳ−ＳＣＣＨパート１メッセージを受信するロジックと、
前記受信したＨＳ−ＳＣＣＨパート１メッセージに対して、可能なコードワードの縮小セットのコードワードの各々を相関させることにより相関値のセットを生成するロジックと、
前記相関値のうち最高の相関値に関連する前記可能なコードワードの縮小セットのコードワードを復号された値として選択するロジックと、
を備え、
前記可能なコードワードの縮小セットは、前記可能なコードワードのフルセットから生成されることを特徴とする装置。
【請求項４１】
前記可能なコードワードの縮小セットは、何らかの有意性を示すコードワードのみを含むことを特徴とする請求項４０に記載の装置。
【請求項４２】
前記可能なコードワードの縮小セットは、第１ユーザ機器（ＵＥ）の１つ以上の能力に関連するコードワードのみを含み、
前記可能なコードワードのフルセットは、前記第１ＵＥの１つ以上の能力に関連しない少なくとも１つのコードワードを含み、該少なくとも１つのコードワードは、第２ＵＥの１つ以上の能力に関連することを特徴とする請求項４０に記載の装置。
【請求項４３】
プロセッサに、コード分割多重アクセス通信システムにおけるマルチパートメッセージの受信を中断するか否かを判断させる１つ以上の命令が記憶された機械読み取り可能な記憶媒体であって、
該１つ以上の命令は、
前記マルチパートメッセージの１部分を受信するステップと、
既知の系列と前記受信したマルチパートメッセージの１部分との相関による相関値を発生するステップと、
前記相関値を閾値レベルと比較するステップと、
前記相関値が前記閾値レベルより小さいとき、前記マルチパートメッセージの受信を中断するステップと、
を前記プロセッサに実行させることを特徴とする機械読み取り可能な記憶媒体。
【請求項４４】
前記１つ以上の命令は、通信トラフィック挙動に基づいて、前記閾値レベルをダイナミックに調整するステップを更に前記プロセッサに実行させることを特徴とする請求項４３に記載の機械読み取り可能な記憶媒体。
【請求項４５】
前記通信トラフィック挙動は、特定のユーザ機器（ＵＥ）に向けられたトラフィックが、該ＵＥに向けられたバーストの１部分であるか否かであることを特徴とする請求項４４に記載の機械読み取り可能な記憶媒体。
【請求項４６】
前記特定のＵＥに向けられたトラフィックが該ＵＥに向けられたバーストの１部分であるか否かの検出は、前記ＵＥが直近の送信期間の数ｎの間の何れかで宛先とされたか否かの検出を含むことを特徴とする請求項４５に記載の機械読み出し可能な記憶媒体。
【請求項４７】
プロセッサに、可能なコードワードのフルセットを含む高速ダウンリンクパケットアクセス（ＨＳＤＰＡ）システムにおける高速共有制御チャネルパート１（ＨＳ−ＳＣＣＨパート１）メッセージを復号させる１つ以上の命令が記憶された機械読み取り可能な記憶媒体であって、
該１つ以上の命令は、
前記ＨＳ−ＳＣＣＨパート１メッセージを受信するステップと、
前記受信したＨＳ−ＳＣＣＨパート１メッセージに対して、可能なコードワードの縮小セットのコードワードの各々を相関させることにより相関値のセットを生成するステップと、
前記相関値のうち最高の相関値に関連する前記可能なコードワードの縮小セットのコードワードを復号された値として選択するステップと、
を前記プロセッサに実行させ、
前記可能なコードワードの縮小セットは、前記可能なコードワードのフルセットから生成されることを特徴とする機械読み取り可能な記憶媒体。
【発明の詳細な説明】
【技術分野】
【０００１】
本発明は、通信システムに関し、特に、符号分割多重アクセス（ＣＤＭＡ）方式の通信に関するものであって、さらに特に、ＣＤＭＡ通信システムにおいて、受信信号中に特別な情報が検出されたか否かを効率的に、そして正確に判断することに関する。
【背景技術】
【０００２】
セルラ電話業界は、世界中での商業的運用において驚異的な足跡をなした。主たる首都圏エリアにおける成長は、初期の予想を大きく越え、急速にシステム容量を上回っている。もし、この傾向が継続するなら、この業界の成長の効果は、小さいが市場規模となる。革新的な解決が、高品質のサービスを維持し、価格の増加を避けると共に、増加する容量の要求に合致することが要求されている。
【０００３】
世界中での無線通信システムの進化における１つの重要なステップは、アナログからデジタル送信への変化である。次世代技術に実施する効率的なデジタル送信スキームの選択も同様に重要である。さらに、快適に携帯出来、自宅、事務所、路上、車内等で発呼、着呼に使用するパーソナル通信ネットワーク（ＰＣＮ）が、例えばデジタルセルラシステム設備を使用するセルラ通信事業者によって提供されている。これらの新しいシステムで望まれる重要な特徴は、増加したトラフィック容量及びこの容量の効率的な使用である。多くは電池で駆動されるために、このようなシステムの携帯機器が、可能な限りエネルギを節約しつつ、高品質のサービスを提供することも、また重要である。
【０００４】
このようなシステムを提供するにあたり、最近の努力は広帯域ＣＤＭＡ（ＷＣＤＭＡ）の技術の使用に向けられている。ＷＣＤＭＡシステムにおいて、多くのユーザが同時に同じ無線周波スペクトルを利用する。ＷＣＤＭＡシステムにおける受信機の観点から、受信信号は、希望信号（すなわち、その特定の受信機で受信されることが意図されている信号）と高レベルノイズとを備える。受信機において受信信号から希望信号を取り出させるためには、その受信機用に意図された情報は、この情報を署名系列で知られる、より高いビットレートで合成（例えば乗算）することで”拡散”される。署名系列はこの特定の受信機に対し独自なものである。署名系列を発生する１つの方法は、ランダムに発生し、しかも許可されたユーザにより複製される擬似ノイズ（ＰＮ）処理で可能である。
【０００５】
各稼働中の送信機は同じ処理を利用しているので、複数の拡散情報信号は、例えば二相位相変調（ＢＰＳＫ）により高周波搬送波を変調し、そして先に述べたように、受信機で複素信号として一緒に受信される。各拡散信号は、周波数及び時間の両方に関して、ノイズに関連した信号と同様に、他の全ての拡散信号と重なる。もし受信機が許可されたものであれば、複素信号は、独自の署名系列の１つと相関性があり、対応する情報信号を分離出来、逆拡散できる。もし、直交位相変調（ＱＰＳＫ）又は直交振幅変調（ＱＡＭ）が使用されるのであれば、署名系列は複素数よりなり、そこでは、同じ周波数であるが、お互いに位相が９０度異なる２つの搬送波のそれぞれを変調するのに実数部と虚数部が使用される。
【０００６】
以前より、署名系列は、１ビットの情報を表すのに使用される。しかしながら、他の形式の署名系列も採用することが出来る。送信された署名系列又はその補数の受信は、情報ビットが＋１又は−１、時には”０”又は”１”で示されるが、であるか否かを示す。署名系列は、通常ある数Ｎビットを備え、署名系列の各ビットは”チップ”と呼ばれる。Ｎチップ系列の全部又はその補数は、送信されたシンボルとして参照される。ＲＡＫＥ受信機のような従来の受信機は、受信した信号と既知の署名系列の複素共役との相関をとり、相関値を生成する。相関値の実数部のみが計算される。大きな正の相関であるとき、”０”が検出され、大きな負の相関であるとき、”１”が検出される。他の形式の受信機及び相関技術が採用可能であることが認識される。
【０００７】
移動体通信システムにおけるＷＣＤＭＡ技術の使用の標準化に向けて多くの努力がなされている。そのような努力の１つは、第３世代パートナーシッププロジェクト（３ＧＰＰ）でなされている。用語”第３世代”は、所謂第２世代無線アクセス技術が幅広い市場に移動体電話をもたらした事実を参照する。対照的に、第３世代無線アクセス技術は基本的な電話を越え、共通のインターネットプロトコル（ＩＰ）ベースのサービスプラットフォームは、移動体ユーザに、豊富なリアルタイム及び非リアルタイム（従来型のデータ）サービスを提案する。
【０００８】
リアルタイム要求を伴う典型的なサービスは、交通信号システムのような遅延に敏感なアプリケーション、リモートセンシング及びワ−ルドワイドウェブ（ＷＷＷ）サービスへのインタラクティブアクセスを提供するシステムと同じように、音声及び映像である。例えば、非特許文献１に説明されているように、挑戦は、インターネットプロトコル（ＩＰ）に基づく端末相互間サービスの実施である。無線インターフェースを含むＩＰ端末相互間を運用する利点は、サービスの柔軟性にある。実際に、多かれ少なかれ、柔軟性は、アプリケーションと基礎となるネットワーク、例えばアクセスネットワークとの間の依存性をほぼ取り除く。今日まで、セルラアクセスネットワークは、回線交換接続型音声アプリケーションの音声の品質及びスペクトルの効率化の観点で最適化されてきた。しかしながら、音声を含むＩＰマルチメディアのようなサービスにおいて、主たる挑戦は、サービスの柔軟性を低下させることなしに、競争力のある品質及びスペクトルの効率を維持することにある。今日、例えば、リアルタイムプロトコル（ＲＴＰ）、ユーザデータグラムプロトコル（ＵＤＰ）又は（メディアフレームを搬送する）ＩＰパケットを伴うエアインターフェースをブリッジするとき、かなりのプロトコル・オーバヘッドに苦しむ。言うまでもなく、これは、スペクトル効率の最終目標と逆行する。スペクトル効率を達成するには、バンド幅及び遅延の要求に関して別のパケットデータストリームを特徴付けることが出来る。この種の特徴付けは、使用可能な多数ユーザのデータストリームに適合するアドミッションアクセスプロトコルを実施するとき有効である。十分なスペクトル効率を得るために、データを制限する他の方法（ヘッダー圧縮及びセッションシグナリング圧縮のような）が、また適用される。
【０００９】
非特許文献２は、ベストエフォートパケットデータの改良されたサポートを目的として、いかに３ＧＰＰが、高速ダウンリンクパケットデータアクセス（ＨＳＤＰＡ）として知られるＷＣＤＭＡの進化上で動作するか、が記述されている。この公知のシステムに対する強化は、容量を増やし、往復遅延を減らし、ピークデータレートを８−１０Ｍｂｉｔ／秒まで引き上げる。これらの最終目標を達成するため、新規なダウンリンク共有チャネル（ＨＳ−ＤＳＣＨ）が導入された。さらに、密に結合され、瞬間的な無線状況に対する送信パラメータの高速な適応に依存する３つの基本的な技術がこのチャネルに導入された。
・高速リンク適応技術は、チャネル符号化レートの適応を許可し、チャネル状況が許せば（たとえば、フェージングのピークの間）、ユーザにスペクトル効率化高次変調（たとえば、１６ＱＡＭ）を可能ならしめ、好ましくないチャネル状況においては、ロバストＱＰＳＫ変調に戻る（たとえば、フェージングの窪みを経験しているとき）。
・高速ハイブリッド自動再送要求（Ｈ−ＡＲＱ）技術は、失われたデータの実態の再送信を高速に要求し、メッセージを復号する前に、原送信及びそれに続く再送信からのソフト情報を合成する。
・ＨＳ−ＤＳＣＨを共有するユーザの素早いスケジューリング−マルチユーザ多様性を実現するこの技術は、好ましい無線状況でユーザに送信する努力をする。
【００１０】
上記説明した基本原理により、好ましい状況において高いデータレートをユーザに提案する、同等ではないサービスの提供の可能性がある。
【００１１】
ＨＳＤＰＡの１つの側面は、チャネル構造にある。ユーザデータを搬送する伝送チャネルは、高速ダウンリンク共有チャネル（ＨＳ−ＤＳＣＨ）である。対応する物理チャネルは、ＨＳ−ＰＤＳＣＨで示される。ＨＳ−ＰＤＳＣＨコードリソースは、１６の固定拡散係数を伴う１つ以上のチャネル化コードを含む。他の要求される制御及びデータベアラ用の十分な余裕を確保するために、最大１５までのその種のコードが割り当てられる。使用可能なコードリソースは、基本的に時間領域において共有される。例えばそれらは、一度に１ユーザに割り当てられる。別の方法として、コードリソースは、コード多重化を使用して共有される。この場合、２乃至４ユーザが、同じ送信期間（ＴＴＩ）においてコードリソースを共有する。
【００１２】
ＨＳ−ＤＳＣＨは、リンク適応遅延を減らし、スケジュール処理における細かさを高め、時間で変化する無線状況により追従性を促進し、往復時間（ＲＴＴ）を減らすために短い（２ミリ秒）ＴＴＩを採用する。
【００１３】
ユーザデータに加え、スケジュールされることとなる次のユーザ機器（ＵＥ）を知らせる制御シグナリングを送信する必要がある。このシグナリングは、全てのユーザに共通な高速共有制御チャネル（ＨＳ−ＳＣＣＨ）上で行われる。ＨＳ−ＳＣＣＨは、対応するＨＳ−ＤＳＣＨ ＴＴＬに先行して２スロットで送信される。ＨＳ−ＳＣＣＨは、ユーザ機器固有のマスクにより符号化され、また、採用した変調の設定、符号化の方式、チャネルコード及びＨ−ＡＲＱを含む、下側レイヤ制御情報を含む。
【００１４】
上記説明したチャネルに加え、全てのユーザ機器は、アップリンク及びダウンリンク方向において、関連専用物理チャネル(DPCH:Dedicated Physical Channel)を有する。ダウンリンクに関連したチャネルは、アップリンク用のパワー制御命令と同様に、レイヤ３シグナリング用に信号無線ベアラを搬送する。比較すると、アップリンクチャネルは帰還チャネルとして使用され、それは、ダウンリンク用のパワー制御用にＴＰＣ命令を搬送する。もし必要であれば、他のサービス（例えば、回線交換型の音声及び映像）もＤＰＣＨ上で搬送される。
【００１５】
ＨＳＤＰＡの概念は、Ｈ−ＡＲＱ確認に加え、チャネル品質インジケータ（ＣＱＩ）情報を搬送するため、アップリンクにおいて、付加的な高速専用物理制御チャネルを必要とする。
【００１６】
ＨＳ−ＳＣＣＨに着目すると、それはネットワークによりＵＥを宛先とするのに使用される。ＨＳ−ＳＣＣＨは、以下の情報を搬送する。
１．ＵＥ識別（１６ビット）：Ｘue
２．チャネル化コードセット（７ビット）：Ｘccs
３．変調方式情報（１ビット）：Ｘms
４．伝送ブロックサイズ情報（６ビット）：Ｘtbs
５．ハイブリッドＡＲＱ処理情報（３ビット）：Ｘhap
６．冗長度及び配置バージョン（３ビット）：Ｘrv
７．新規データ指標（１ビット）：Ｘnd
上記の最初の３つは、ＨＳ−ＰＤＳＣＨの受信用のＲＡＫＥ受信機を設定できるようにするため必要とされ、確かにＵＥ識別情報は、送信されようとしているデータの意図する受取人か否かを判断するため、ＵＥにより使用される。このように、ＨＳ−ＳＣＣＨは、２つの連続したパートで送信され、上記の最初の３つは、ＨＳ−ＳＣＣＨのパート１で送信される。残りの情報は、ＨＳ−ＳＣＣＨのパート２で搬送される。全てのレイヤ１（Ｌ１）情報は、ＨＳ−ＳＣＣＨ上で送信される；すなわち、ＨＳ−ＰＤＳＣＨ又はＤＰＣＨ上で送信されるＬ１情報はない。
【００１７】
１２８の拡散係数及びＱＰＳＫ変調で全て送信される、セルで監視する最大４つのＨＳ−ＳＣＣＨコードがあり得る。ＵＥにおいて復号し、受信のために受信機の設定をする時間を持たせるため、（ユーザデータを搬送する）ＨＳ−ＰＤＳＣＨサブフレームは、ＨＳ−ＳＣＣＨサブフレームの開始後２スロットまでは開始しない。これは図１に図示され、３ＧＰＰＴＳ２５．１０１Ｖ５．５．０（２００３−０９）に詳しく説明されている。この構成は、ＨＳ−ＳＣＣＨパート１全部が受信され、ＨＳ−ＳＣＣＨパート２の第１スロットの受信と同時に復号されるのを可能とする。
【００１８】
図２は、ＨＳ−ＳＣＣＨに関連し、ＵＥ内で実行される従来の動作を図示するフローチャートである。当然のことながら、ＵＥが、そのＵＥカテゴリのために、ＴＴＩ間内で制限を受けるのであれば、それは、ＨＳ−ＰＤＳＣＨを伴うＴＴＩ間内の或る距離である。これは、いくつかのＴＴＩでのＨＳ−ＳＣＣＨの受信を不必要にする。したがって、ＵＥが取る初期動作は、次の可能なサブフレームを待つことである（ステップ２０１）。そして、ＨＳ−ＳＣＣＨパート１は、４つの拡散コードが受信される（ステップ２０３）。
【００１９】
次に、２つの動作が並列に実行される。ＨＳ−ＳＣＣＨパート１は復号され（ステップ２０５）、ＨＳ−ＳＣＣＨパート２のスロット１は、全ての可能なコードが受信される（ステップ２０７）。もし必要であれば、これら受信されたＨＳ−ＳＣＣＨパート２のどちらを使用するのかは、パート１情報で決定される。
【００２０】
受信したＨＳ−ＳＣＣＨパート１が、この特定のＵＥを意図したものであるとＵＥが検出したか否かを判断する必要がある（決定ブロック２０９）。回答が”ＮＯ”（決定ブロック２０９からの”ＮＯ”の経路）であれば、このＨＳ−ＳＣＣＨを受信するステップの点がなく、したがって処理は中断される（ステップ２１１）。この場合、処理はステップ２０１に戻り、継続される。
【００２１】
復号されたＨＳ−ＳＣＣＨパート１がこのＵＥ用に意図されたものであると判断されたら（決定ブロック２０９からの”ＹＥＳ”の経路）、どのコードｃが、このＨＳ−ＳＣＣＨに適用されるのかが分る。すると処理は、パート１からの拡散コードを使用して復号して、ＵＥがＨＳ−ＰＤＳＣＨを受信するように設定し（ステップ２１３）、この動作と並列して、コードｃと関連するＨＳ−ＳＣＣＨ用のパート２の第２スロット受信し（ステップ２１５）、そして、コードｃと関連するＨＳ−ＳＣＣＨのパート２を復号する（ステップ２１７）ように継続する。
【００２２】
ＨＳ−ＳＣＣＨパート２が受信され、復号された後、そのＣＲＣコード復号が成功であったか否かを判断するためにチェックされ得る（決定ブロック２１９）。もし、そうでなければ（決定ブロック２１９からの”ＮＯ”の経路）、ＨＳ−ＰＤＳＣＨ受信は中断され（ステップ２２１）、処理はステップ２０１に戻る。
【００２３】
もし、ＨＳ−ＳＣＣＨパート２復号が成功であったなら（決定ブロック２１９からの”ＹＥＳ”の経路）、コードｃにしたがって、ＵＥがＨＳ−ＰＤＳＣＨスロット３の受信用に設定される（ステップ２２３）。その後、ＵＥは、ＨＳ−ＳＣＣＨパート２復号から取りだされたパラメータを使用して、ＨＳ−ＰＤＳＣＨを復号するように設定される。
【００２４】
決定ブロック２１９に戻り、当然のことながら、ＨＳ−ＳＣＣＨパート２の不成功な復号は、ＨＳ−ＳＣＣＨパート２自身に導入された誤りの結果であり得え、しかし、それはまた、ＨＳ−ＳＣＣＨパート１が成功して検出されたと誤って判断した結果でもあり得る。なぜそうなのかを示すため、以下の検討で、ＨＳ−ＳＣＣＨパート１を詳しく見る。
【００２５】
図３は、ＨＳ−ＳＣＣＨ情報（パート１、パート２共に）を構築するために採用される従来の処理を図示する。Ｘccs及びＸmsパラメータは、マルチプレクサ３０１で混合され、Ｘ1で示されるデータを発生する。従来の技術のように、入力と出力を連続させるマルチプレクサ３０１、３１１は、選択制御入力を除いて図示される。ＨＳ−ＳＣＣＨのパート１部分を発生するために、データＸ1は、チャネル符号化１を実行し、Ｚ1で示されるデータを発生するチャネル符号化ロジック３０３により、畳み込みで符号化される。そして、レート整合ロジック３０５は、データＺ1を、Ｒ1で示されるデータに変換するパート１レート整合を実行する。
【００２６】
ＨＳ−ＳＣＣＨパート１メッセージの意図した受取人であるとすることをＵＥが検出出来るようにするため、Ｒ1上でＵＥ特定マスキングを実行するＵＥマスキングロジック３０７が適用される。このマスキングの詳細は、図４に図示されたロジック図に関連して以下説明する。このロジックの１側面において、意図された受取人であるＵＥを表す特有のコードが、畳み込み符号化ロジック４０１を１６ビットＸueデータに適用することで発生され、ｂiで表される４８ビットの数が発生される。そして、パンクチャリング・ロジック４０３がｂｉに適用され、ｃｉで表される４０ビットの数が発生される。そして、２つの値の間で排他的論理和（ＸＯＲ）演算４０５を実行することで、数ｃiはマスクとしてデータＲ1に適用される。結果の値はＳiで示される。
【００２７】
このマスキングの背後にある工夫は、ＨＳ−ＳＣＣＨパート１メッセージを受信する各ＵＥが、マスキングしない動作において、それ自身の既知の値ｃｉを適用できることである。たとえば、ＸＯＲがマスク関数として使用されるとき、同じｃｉ値の適用は、もとのマスク動作を行わない。もし結果の値が使用可能なＲ1値であれば（すなわち、もしＲ1が有効なコードワードであれば）、これは、ｃｉのＵＥの値が正しかったことを意味し、そしてＵＥがＨＳ−ＳＣＣＨの意図された受取人であることを意味する。他の全てのＵＥは、復号出来ない値となる、誤った値ｃｉを適用し、それがＨＳ−ＳＣＣＨパート１メッセージの意図された受取人ではなかったことを、これらの各ＵＥに通知する。２つのマスク（図４のｃｉ）の間の最小ハミング距離が８であることが判断される。
【００２８】
原理的に、各ＵＥがマスキングを受信したＨＳ−ＳＣＣＨパート１に適用し、そして結果のＲ1が有効なコードワードであるか否かを判断することは意味がなく、これは実際の実施例では必要ない。この理由は、各ＵＥが、それ自身のＨＳ−ＳＣＣＨパート１が、マスキングを外す前に、どうなるのかを知ることが出来るからである。したがって、ＵＥ自身のマスキングステップを飛び越す、より効果的な実施例が実施され得る。
【００２９】
図３に戻り、ＨＳ−ＳＣＣＨパート２情報の発生について説明する。ある側面では、ｒ、ｓ及びｂパラメータは、ＲＶ符号化ロジック３０９に提供され、冗長度及び一群のバージョン情報Ｘrvが発生される。Ｘtbs、Ｘhap、及びＸndと同様にＸrv情報は、マルチプレクシングロジック３１１で混合され、Ｘ2情報を発生する。Ｘue及びＸ1と共にＸ2情報は、その後ＵＥ特定ＣＲＣ付加ロジック３１３の供給され、Ｙ情報を発生する。具体的には、ＵＥ特定ＣＲＣ付加ロジック３１３は、パート１情報（Ｘ1）及びパート２情報（Ｘ2）を混合し、ＣＲＣを発生する。ＣＲＣはＵＥ識別（Ｘueでマスクされ、結果は、パート２情報に付加され、Ｙ情報が発生される。ＵＥ特定ＣＲＣ付加ロジックの動作に関する更なる情報に関し、興味ある読者は、３ＧＰＰＴＳ２５．２１２Ｖ５．６．０（２００３−０９）を参照すべきであって、その全体の内容は、本明細書に表現的に組み入れられる。これは、その後、チャネル符号化２ロジック３１５によって処理され、Ｒ2情報を発生する。
【００３０】
最後に、Ｓ1情報（ＨＳ−ＳＣＣＨパート１発生からの）及びＲ2情報は、物理チャネルマッピングロジック３１９が前提となり、ＨＳ−ＳＣＣＨを生ずる。
【００３１】
パート１検出（すなわち、図２の決定ブロック２０９）に戻り、受信ＨＳ−ＳＣＣＨパート１情報と２５６全ての可能な仮定されたコードワードＲ1（又は、もしマスキングが含まれるのであれば、Ｓ1）との相関を取るために、最尤（ＭＬ）アルゴリズムを利用することが知られている。ＭＬ法がさらに詳しく説明される。
【００３２】
コードｃε[1,...,nc]上で受信したコードワードとしてＳ＾1cを導入する。上記したアプローチでは、マスキングなしは、受信されたコードワードでは実行されない。マスキングは、そのかわり仮定されたコードワードに含まれる。等価な方法は、マスクされない受信コードワードＲ＾1c上で動作することである。Ｓ＾1cを、
2010239630.tif 000003
ここで、ecは、不完全な送信／受信による欠陥を含むノイズベクトルであり、νcは、マスキング／マスキングなし構成による乱数ベクトルであるようにモデル化する。
【００３３】
ＨＳＤＰＡの例において、Ｘ1は８ビットベクトルである。したがって、それぞれのＵＥについて２５６の対応するコードワードＳ1がある。コードワードは、S1i,i∈[0,..,255]で列挙される。もし、
2010239630.tif 000004
を導入すれば、決定マトリクスＤは、
2010239630.tif 000005
のように構築される。
【００３４】
各コードｃに対する最尤検出は、したがって対応するＤ行数における最大値に関連する列数であり
2010239630.tif 000006
であると分かる。ＭＬの比較を許可するため、異なるコードからの予測、νc＋ecの分散の予測は
2010239630.tif 000007
と式化され、ここで、"excl"は、指標ｘの排除エレメントを意味し、この場合、１つエレメントの少ない、すなわちピークのない新しいベクトルとなる。したがって、検出は、
2010239630.tif 000008
で定義される。
【００３５】
ＵＥ識別マスキングは、ＨＳ−ＳＣＣＨパート１情報の十分な信頼性のある送信を提供するためになされる唯一の対策である。パート２情報と異なり、パート１情報はＣＲＣ符号化では保護されない。これは絶対的に重大ではなく、なぜならば、自身のためにＨＳ−ＳＣＣＨパート１情報を検出したと誤って信じているＵＥは、ＨＳ−ＳＣＣＨパート２情報がチェックしないときにその誤りを発見する（復号処理における誤りのコードｃの使用のために）。同様に、もしＵＥが誤ってＨＳ−ＳＣＣＨパート１情報の検出に失敗するならば、引き続き送信されるデータに対し、ＡＣＫが受信できないことを送信機が通知するとき、これもまた発見される。
【００３６】
さらにこれらの誤りは、消耗したパワー（すなわち、実際にそのＵＥを意図していないＨＳ−ＳＣＣＨパート２及びＨＳ−ＰＤＳＣＨを受信し、復号するＵＥの消費するエネルギ）、失った時間及びバンド幅（すなわち、意図された受取人により、送信が全然受信されなかったことを検出し、その情報を再送信する）に関してコスト高である。
【００３７】
この背景の章では、３ＧＰＰシステムにおけるＨＳ−ＳＣＣＨ情報の受信に関連した特定の例に着目しているが、同様な問題は、情報が正確に検出されたか否か、及びマルチパートメッセージを受信するさらなる努力を中断するか否か、を判断する相関技術に依存するいかなる通信システムにおいても起こり得る。
【００３８】
したがって、他のシステムと同様に、ＨＳＰＤＡにおいて効率的な方法で情報を正確に受信し、復号する相関技術を採用できる方法及び装置を提供することが好ましい。
【先行技術文献】
【非特許文献】
【００３９】
【非特許文献１】F. Muller et al., "Further evolution of the GSM/EDGE radio access network", Ericsson Review vol. 78, no. 3, pp. 116-123 (2001)
【非特許文献２】T. Hedberg and S. Parkvall, "Evolving WCDMA", Ericsson Review vol.77, no.2 pp. 124-131 (2001)
【発明の概要】
【００４０】
用語”備える”及び”備えている”は、この明細書の中で使われるとき、述べられた特徴、組み合わせ、ステップ又は要素の存在を特定するために用いられ、しかし、これらの用語の使用は、１つ以上の他の特徴、組みあわせ、ステップ、要素又はそれらの組み合わせの存在又は追加を排除するものではない。
【００４１】
本発明の１側面に従えば、前述の及び他の目的は、符号分割多重アクセス通信システムにおけるマルチパートメッセージの受信を中断するか否かを判断する方法、装置及び機械読み出し可能な記憶媒体で達成される。
【００４２】
１側面において、これは、マルチパートメッセージの１部分を受信することで判断される。マルチパートメッセージの受信した部分と既知の系列との相関は相関値を発生する。相関値は閾値レベルと比較される。もし相関値が閾値レベルより小さければ、マルチパートメッセージの受信は中断される。
【００４３】
他の側面において、閾値レベルは、通信トラフィック挙動に基づいて、ダイナミックに調整される。通信トラフィック挙動は、例えば、特定のユーザ機器（ＵＥ）に向けられたトラフィックが、そのＵＥに向けられたバーストの１部分であるか否かである。
【００４４】
さらに他の側面において、特定のＵＥに向けられたトラフィックがそのＵＥに向けられたバーストの１部分であるか否かの検出は、ＵＥが直近の送信期間の数ｎの間の何れかで宛先とされたか否かの検出を備える。数ｎは、例えば１０である。
【００４５】
さらに他の側面において、閾値レベルは複数の可能な閾値レベルの何れか１つに設定されうる。その実施例においては、マルチパートメッセージの受信を中断するか否かの判断は、もし特定のＵＥに向けられたトラフィックがそのＵＥに向けられたバーストの１部分であることが検出されたら、閾値レベルが複数の可能な閾値レベルの低い１つをとることの保証と、もし特定のＵＥに向けられたトラフィックがそのＵＥに向けられたバーストの１部分であることが検出されなかったら、閾値レベルが複数の可能な閾値レベルの高い１つをとることの保証とを備える。ある実施例においては、複数の可能な閾値レベルは、低い閾値レベルと、高い閾値レベルだけを備える。
【００４６】
ある実施例においては、符号分割多重アクセス通信システムは、高速ダウンリンクパケットアクセス（ＨＳＤＰＡ）システムである。その実施例においては、マルチパートメッセージの１部分は、高速共有制御チャネルパート１（ＨＳ−ＳＣＣＨパート１）メッセージである。
【００４７】
本発明の、さらに他の側面において、ＨＳＤＰＡシステムは、可能な既知の系列のフルセットを含む。しかしながら、相関値は、ＨＳ−ＳＣＣＨパート１メッセージに対し、可能な既知の系列の縮小セットのそれぞれとの相関をとることで発生される相関値のセットの１つであり、可能な既知の系列の縮小セットは、可能な既知の系列のフルセットから発生される。
【００４８】
可能な既知の系列の縮小セットは、例えば何か有意を示す可能な既知の系列だけを含む。
【００４９】
他の側面において、可能な既知の系列の縮小セットは、例えば第１ユーザ機器（ＵＥ）の１つ以上の機能に関連する既知の系列だけを含み、可能な既知の系列のフルセットは、第１ＵＥの１つ以上の機能に関連しない、少なくとも１つの系列を含み、少なくとも１つの既知の系列は、第２ＵＥの１つ以上の機能に関連する。
【００５０】
本発明の目的及び利点は、詳細な説明を図面との関係で読むことで理解される。
【図面の簡単な説明】
【００５１】
【図１】ＨＳ−ＰＤＳＣＨサブフレームの開始とＨＳ−ＳＣＣＨサブフレームの開始との間の関係を描くタイミング図である。
【図２】ＨＳ−ＳＣＣＨに関連してＵＥで実行される、従来の動作を図示するフローチャートである。
【図３】ＨＳ−ＳＣＣＨ情報（パート１及び２の双方）を構築するのに用いられる、従来の処理を示す図である。
【図４】ＨＳ−ＳＣＣＨパート１メッセージの対象とする受信者であることを、ＵＥが検出出来るようにする、ＵＥマスクロジックの詳細を描くロジック図である。
【図５】本発明の例示的な実施例における、ＨＳ−ＳＣＣＨを復号し、ダイナミックに閾値レベルτを調整する、例示的なロジックを図示するフローチャートである。
【図６】本発明の、他の例示的な実施例における、ＨＳ−ＳＣＣＨを復号し、ダイナミックに閾値レベルτを調整する、例示的なロジックを図示するフローチャートである。
【図７】多くの興味深いシナリオからの、可能な復号結果を描くツリー図である。
【図８】本明細書で説明される３つの方法に対する異なる閾値でのテストのテスト結果を示すグラフである。
【図９】本明細書で説明される３つの方法に対する異なる閾値でのテストのテスト結果を示すグラフである。
【図１０】本明細書で説明される３つの方法に対する異なる閾値でのテストのテスト結果を示すグラフである。
【図１１】３つのＨＳ−ＳＣＣＨテストケースに対する本明細書で説明される３つの方法の性能を示すグラフである。
【図１２】３つのＨＳ−ＳＣＣＨテストケースに対する本明細書で説明される３つの方法の性能を示すグラフである。
【図１３】３つのＨＳ−ＳＣＣＨテストケースに対する本明細書で説明される３つの方法の性能を示すグラフである。
【発明を実施するための形態】
【００５２】
本発明の各種特徴は、図面との関連で説明されるが、同じ部品は、同じ参照文字で識別される。
【００５３】
本発明の各種側面は、多くの例示的な実施例と関連してより詳しく説明される。本発明の理解を助けるため、本発明の多くの側面が、コンピュータシステムの要素により実行される一連の処理との関連で説明される。各実施例において、各種処理は、特別な回路（例えば、特別な機能を実行するように相互接続された個別なロジックゲート）、１つまたはそれ以上のプロセッサで実行されるプログラム命令、又はそれらの組合せで実行できるとみなされる。さらに、本発明は、半導体メモリ、磁気ディスク、光学ディスク又は搬送波（無線高周波、音声周波数又は光学周波数の搬送波のような）等、ここで説明される技術をプロセッサに実行させるコンピュータ命令の適切な組合せを含むコンピュータで可読な媒体の形式で全体的に実施されるものとして考えることが出来る。したがって、本発明の各種側面は多くの異なった形で実施され、そのような形式の全ては、本発明の請求の範囲であると意図されている。本発明の各側面に対し、いずれの実施例も、上述した行動を実行するように”構成されたロジック”、又は別の形で上述した行動を実行する”ロジック”として参照される。
【００５４】
背景の章で述べたように、ＨＳ−ＳＣＣＨパート２復号の障害により、ＨＳ−ＳＣＣＨパート１メッセージが誤って検出されたことを検出（ここでは、”誤検出”又は”誤警告”とする）することが可能である。しかしながら、もし誤検出と思われたら、できるだけ速やかにＨＳ−ＳＣＣＨ復号を中断することで、電流消費を減少することが望ましい。このように、本発明の１側面によれば、誤検出は、ＨＳ−ＳＣＣＨパート１検出の品質をテストすることで確認できる。より具体的には、有効とみなされる検出用に必要とする閾値τが導入される。これは、
2010239630.tif 000009
のように表される。
【００５５】
次に、閾値τに値を割り当てる技術について説明する。決定閾値の調整は、誤警告（Ｐ（Ｅfa））の発生確率と誤検出（Ｐ（Ｅm））（すなわちＵＥのその部分で、ＨＳ−ＳＣＣＨパート１メッセージが、実際にそのＵＥによる受信を意図したことの検出の失敗）との間でなされるトレードオフを必要とする。誤検出は、スループットの低下となり、誤警告は、ノードＢ、すなわち基地局からの呼びかけなしにＨＳ−ＳＣＣＨパート２復号及びＨＳ−ＰＤＳＣＨ復号の開始することで消費電力の増加となる。
【００５６】
τの値の調整の最適な技術は、ＨＳ−ＳＣＣＨコード相関関係が正しい検出らしいかかどうかを判断するのにどの方法が使用されるかに依存する。背景の章で、この決定に分散予測を使用する検出技術について説明した。しかしながら、分散予測を実装するのは非常に複雑である。別の方法は、次に示す”標準偏差予測”を使用することにある。
2010239630.tif 000010
この変形により、検出アルゴリズムは、
2010239630.tif 000011
となる。
【００５７】
さらに他の（第３の）検出アルゴリスムの実施は、ＨＳ−ＳＣＣＨコードの閾値τに対する最大相関値と第２の最大相関値との間の比を比較する。
【００５８】
上記のどれか、又は他の検出アリゴリズムが使用されるのかに関係なく、閾値の影響はより大きな閾値が誤警告の割合を減少させ、また、誤った検出の確率を増加させる。反対に、減少した閾値は、それとは反対の関係を生ずる。
【００５９】
本発明の他の側面によれば、静的閾値の使用から来る厳しいトレードオフは、そのかわりに、通信トラフィック挙動の基づいて閾値τをダイナミックに調整する適応技術を使用することで緩和されることとなる。その種の挙動の１つは、ＵＥに向けられたトラフィックが、そのＵＥに向けられたバーストの１部分であるか否かということである。バースト挙動は、典型的にファイルダウンロード時、ウェブサーフィン時等に起きる。本発明の実施例によれば、
・もし、ＵＥがバーストの中にあれば、比較的低い閾値τが使用される必要がある。これは、いくらかの誤警告を生じるが、スループットを損なうものではない。
・しかしながら、もし、ＵＥがバーストの中になければ、比較的高い閾値τが使用される必要がある。これは、誤警告の数を減らし、それにより、パワーの消費を減らす。しかしながら、メッセージを検出する能力は僅かに減少する。
【００６０】
バーストの存在を検出する各種の技術が、本発明の１部として使用できる。その種の１つの技術は、ＵＥが直近のＴＴＩの数ｎの間に向けられるときはいつでも、バーストが存在することを宣言することである。反対に、ＵＥが直近のｎ個のＴＴＩの何れの間においても向けられないときは、バーストは存在しないと考えられる。１例としては、ｎは１０に設定される。もちろん、この数は、アプリケーションに応じて最適に調整される。他の技術は、もしＵＥが少なくとも直近のｎ個のＴＴＩの間に多くの回数向けられるとき、バーストが存在することを宣言することであり、そこではその数は１より大きい。
【００６１】
適応閾値の実施は、
2010239630.tif 000012
のようになる。ここで、τlow及びτhighは、閾値τのそれぞれ比較的低い及び高い値を表す。閾値τlow及びτhighは、好ましい性能を生ずるように調整される。この手法の潜在的な危険は、誤った検出の確率が、τ＝τhighとなって大きくなり、ＵＥが、送信ギャップの後に向けられることを、どうしても検出出来ないことである。しかしながら、誤った検出の確率は、閾値をτlowからτhighに調整することで、ほんの少しだけ増加させることが出来ることが分った（下記でより詳しく説明するように）；すなわち、３％から６％又は同じくらいに変えることが出来る。同時に、誤警告の確率は５０％（τlowが稼動中のとき）から１％（τhighが稼動中のとき）まで減少される。
【００６２】
適応閾値技術の変形は、フィルタされた閾値を採用することが出来る。特に、中間閾値τ'1は、τlow又はτhighの何れかに設定され、τhighは上記で説明したように計算される。中間閾値τ'1としてのτlow対τhighの選択は、バーストが存在する又はバーストが存在しないを信じるか否かに基づく。τ'1は既知のフィルタ技術、たとえば、τ'(t,filt)＝（１−λτ）*τ't＋λτ*τ'(t-1,filt)によりフィルタされる。τ'(t,filt)は閾値τとして使用される。
【００６３】
適応閾値技術の他の変形は、ＵＥの宛先用のフィルタ値を採用することが出来る。特に、ＵＥがＴＴＩtにおいて宛先とされたならパラメータＸtは１に設定され、ＵＥが宛先とされなかったらＸtは０に設定される。その後Ｘtは既存のフィルタ技術、たとえば、x(t,filt)＝（１−λx）*x't＋λx*x'(t-1,filt)を使用してフィルタされる。フィルタ値ｘ(t,filt)は、ＵＥの直近の宛先となる。ＵＥがバーストにあるか否かを判断するために、ｘ(t,filt)が閾値と比較される。比較される閾値ｘ(t,filt)は同じ閾値τではない。この閾値は、誤検出と失敗検出との釣合いを取るように選択される。
【００６４】
２つの閾値（τhigh及びτlow）の使用の変形として、閾値の連続するスペクトルを形成するように複数の閾値が採用される。複数の閾値の何れを採用するかは、ＵＥの指定の最新性に基づき判断される。
【００６５】
図５は、本発明の例示的な実施例における、ＨＳ−ＳＣＣＨを復号し、閾値レベルτをダイナミック調整する例示的なロジックを描くフローチャートである。ステップ５０１、５０３、５０５及び５０７は、対応するステップ２０１、２０３、２０５及び２０７と同じ動作をするので、ここでは詳しく説明しない。
【００６６】
決定ブロック５０９に入る点において、受信したＨＳ−ＳＣＣＨパート１がその特定のＵＥを意図することをそのＵＥが検出したか否かを判断される必要がある。この判断を行うために、何れかの上記で説明した、閾値τでの検出指示値（すなわち、相関値又はそれと等価なもの）の比較を伴うテストが使用される。もし、答えが”ＮＯ”（決定ブロック５０９からの”ＮＯ”の経路）であれば、このＨＳ−ＳＣＣＨを受信するためのさらなるステップを取る点はなく、処理は中断される（ステップ５１１）。トラッフィク挙動もまた変化するので、閾値レベルτは潜在的に調整される（ステップ５１３）。ＵＥが、この特定のＨＳ−ＳＣＣＨによって宛先とされなかった事実にもかかわらず、進行中のバーストが継続する可能性があるのであれば、閾値τは、すでに存在する低い値τlowに保持されるであろう。その後、処理はステップ５０１に戻り、継続する。
【００６７】
もし、復号されたＨＳ−ＳＣＣＨパート１がこのＵＥを意図したものであることが判断されたら（決定ブロック５０９からの”ＹＥＳ”の経路）、どのコードｃをこのＨＳ−ＳＣＣＨに適用するのかが分る。その後処理は、ＨＳ−ＰＤＳＣＨを受信するため（ステップ５１５）ＵＥを設定するためにパート１復号からの拡散コードを使用して継続し、この動作と並列して、コードｃに関連したＨＳ−ＳＣＣＨ用のパート２の第２スロットを受信し（ステップ５１７）そして、コードｃに関連したそのＨＳ−ＳＣＣＨ用のパート２を復号する（ステップ５１９）。
【００６８】
ＨＳ−ＳＣＣＨパート２が受信され復号されたあと、そのＣＲＣコードは、復号が成功したか否かを判断するためにチェックされる（決定ブロック５２１）。もし、しなかったならば（決定ブロック５２１からの”ＮＯ”の経路）、ＨＳ-ＰＤＳＣＨ受信は中断される（ステップ５２３）。注目すべきは、ＨＳ−ＳＣＣＨパート２の復号は、何れかの理由で失敗しただろうとすることである。１つの可能性は、パート１検出が誤警告だろうとすることである。これは、ＵＥが、実際にＨＳ−ＳＣＣＨの意図された受取人ではなかったことを意味する。さもなければ、パート２を上手く復号することの失敗は、受信の際のパート２の変形に起因するだろう。この例示的な実施例においては、失敗は誤警告の存在によるものと思われる。
【００６９】
決定ブロック５２１からの”ＮＯ”の経路をとることで、前回チェックされてからトラフィック挙動が変化したことがありうる。したがって、閾値レベルτは潜在的に調整される（ステップ５２５）。バーストの有無が、関連するトラッフィク挙動であるとする本願の例示的な実施例においては、もしＵＥに向けられたデータの進行中のバーストがないと判断されたなら、閾値レベルτは、その高い値τhighに設定（保持）される。ＵＥが、この特定のＨＳ−ＳＣＣＨによって宛先とされなかった事実にもかかわらず、進行中のバーストが継続する可能性があるのであれば、閾値τは、すでに存在する低い値τlowに保持される。その後、処理はステップ５０１に戻り継続する。
【００７０】
もし、ＨＳ−ＳＣＣＨパート２復号が成功した（決定ブロック５２１からの”ＹＥＳ”の経路）のであれば、ＵＥは、コードｃに従ってＨＳ−ＰＤＳＣＨスロット３用に設定される（ステップ５２７）。そしてＵＥは、ＨＳ−ＳＣＣＨパート２復号から引き出されたパラメータを使用してＨＳ−ＰＤＳＣＨを復号するように設定される（ステップ５２９）。また、閾値レベルτは、トラフィック挙動が前回チェックしてから変化したとする可能性を把握するように潜在的に調整（ステップ５３１）される。バーストの有無が、関連するトラッフィク挙動であるとする本願の例示的な実施例においては、もしＵＥに向けられたデータの進行中のバーストがあると判断されたなら（ステップ５３１）、閾値レベルτは、その低い値τlowに設定（保持）される。たとえば、上記で設定した例示的なテストを使用することで、ロジックにおけるこの経路から来ているとの事実は、ＵＥがまさしく宛先とされていることを示す。従って、ＵＥが直近のｎＴＴＳ’ｓの中で宛先とされたことは真実であり、閾値レベルτは、その低いレベルτlowに減少（保持）されなければならない。もし、バーストの存在のために他のテストが使用されるなら、その結果は、閾値レベルτがその高い又は低い値に設定されるべきであるか否かを判断するために使用される。その後、処理はステップ５０１に戻り復帰する。
【００７１】
図６は、本発明の、他の例示的な実施例における、ＨＳ−ＳＣＣＨを復号し、閾値レベルτをダイナミック調整する例示的なロジックを描くフローチャートである。図５と同様の番号の付された図６のこれらのブロックは、図５のそれぞれ対応するブロックと同じ機能を実行するので、ここでは、さらには説明しない。図６のフローチャートは、ブロック５２５を含まず、そのかわりブロック６０１を含むことで図５とは異なる。
【００７２】
図６の決定ブロック５２１からの”ＮＯ”の経路を参照し、ＨＳ−ＳＣＣＨパート２復号が多くの理由の１つで失敗したことを再び検討する。１つの可能性は、パート１検出が誤警告だったかもしれないことである。これは、実際にＵＥがＨＳ−ＳＣＣＨの意図された受取人でなかったことを意味する。また別に、パート２をうまく復号することの失敗は、受信の際の実際のパート２データの異形である。この他の例示的な実施例においては、ＵＥは実際にＨＳ−ＳＣＣＨの意図された受取人だった、そして失敗は受信の際のパート２データの異形によると考えられる。したがって、閾値レベルτが適切なレベルに設定されたか否かを再評価する時になったら、バースト状態が広まっているものと考えられる。このように、閾値レベルは低いレベルτlowに設定される（又は保たれる）必要がある（ステップ６０１）。しかしながら、他の全ての点に関しては、図６に図示されたロジックは、図５に図示されたものと同じである。２つの閾値レベルに関連して図５及び図６の方法が説明されたが、上記とは別の閾値レベルも採用することが出来る。
【００７３】
背景の章で紹介したＭＬ−アルゴリズムとされる他の改良に目をむけると、多くの方法で複雑性を少なくすることが可能である。
【００７４】
本発明の１側面においては、相関されるコードワードの数は２５６から２４０に減少される。いかにＸccsが構成されるか（３ＧＰＰＴＳ２５．２１２Ｖ５．６．０（２００３−０９）を参照）の検査は、どうしてこれが可能なのかを明らかにする。Ｘccs（７ビット）は、
2010239630.tif 000013
のように構成され、ここで、Ｐは開始コード、そしてＯはコードの数である。上記の定義で動作することで、Ｘccs,[112,..., 119]が意味あることをシグナリングせず、したがって、ノードＢによっては使われないことが分かる。Ｘ1式では、それは、不当である次のコードワードのセットに対応する。Ｘ1,[224,..., 239]。
【００７５】
この簡略化により、作られることとなる相関の数は、２５６ｎcから２４０ｎcに減少される（すなわち、Ｓ1matにおける列の数は減少する）。
【００７６】
他の側面では、ＵＥカテゴリに基づいて、可能なコードワードの数を減らすことが可能である。多くのＵＥ'sが、並列に５又は１０以上の拡散コードを受信することが出来ない；あるものは、１６ＱＡＭの受信さえ出来ないことが予想されている。これが、可能なＯ、Ｐ及びＸms値をさらに制限し、したがって、あるＵＥの可能なコードワードの数を減らすこととなる。マルチコード及び１６ＱＡＭ受信に係るＵＥの能力は、ＵＥカテゴリ（詳しくは、３ＧＰＰＴＳ２５．３０６Ｖ５．６．０（２００３−０９）を見よ）で与えられる。以下では、可能なコードワードの数が異なるＵＥカテゴリで計算された。
2010239630.tif 000014
この簡易化により、作られる相関の数は、１６ＱＡＭの能力を持つ５−コード端末用に２４０ｎc から１３０ｎcに縮小される。この能力は、以下のテスト結果に使用される。
【００７７】
テストは、先に説明したＨＳ−ＳＣＣＨ復号方法の性能の判断のために行われた。使用されたシミュレーションの設定は、３ＧＰＰＴＳ２５．１０１Ｖ５．５．０（２００３−９）で定義されたＨＳ−ＳＣＣＨテストケースに基づく。これらのテストで、純正経路検索器が使われた。
【００７８】
３ＧＰＰＴＳ２５．１０１Ｖ５．５．０（２００３−０９）で定義される３つのＨＳ−ＳＣＣＨテストがある。これらのテストケースでの違いは、チャネル条件（ＰＡ３又はＶＡ３Ｏ）及びセルでの位置（Ｉor／Ｉoc＝０又は５）である。テストは、テスト中のＵＥが、ＨＳ−ＳＣＣＨのあるＥc／Ｉorにおける仕様値より小さい誤検出の確率Ｐ（Ｅｍ）を持つ。テストにおいて、ＵＥは、セルがＨＳ−ＳＣＣＨの４チャネルコード持つことを知らされる。テスト中のＵＥは、パターン”...Ｘ００Ｘ００Ｘ００Ｘ...”の各３番目のＴＴＩに向けられる。使われることとなる具体的なＵＥが定義される。
【００７９】
図７は、興味ある多くの想定からの可能な復号の結果を描くツリー図である。３ＧＰＰテストケースは、グラフの左部分で最低限の性能だけを特定する（たとえば、ＵＥが指定されたとき）。テストの量、誤検出の確率は、図７の注釈を伴い、
2010239630.tif 000015
で与えられる。グラフの右部分も、誤警告による電流消費の減少に関連し、また重要である。先に示したように、もし誤警告が発生されたら、ＵＥは、パート２でＨＳ−ＳＣＣＨ復号を継続し、ＨＳ−ＰＤＳＣＨ受信のために、ＲＡＫＥ受信機を設定する。
【００８０】
この解析は、ＣＲＣが、検出が正しくなかったことの証明に失敗するときに起きる”病理学”ケースは調べない。この事象の可能性は、２16=1.52e-5、すなわち、６５０００に１回のＣＲＣチェックである。誤り事象は、パート１での誤検出が生じたときに起き、ＣＲＣは、数時間に１回チェックする。これらの誤りのケースは深刻であり。高い層で扱われる。
【００８１】
評価されることとなる方法は、十分良好な相関がＨＳ−ＳＣＣＨパート１復号に見出されるか否かの検出に使われる方法においてだけ異なる。テストした方法は、次のように列挙される。
2010239630.tif 000016
全ての場合において、ＵＥカテゴリが６（５マルチコードの１６ＱＡＭ）であると仮定する。この仮定は、可能なコードワードの数を１３０に減らす。
【００８２】
図８から図１０は、３つの方法に対し、３つの異なる閾値でのテスト結果を示すグラフ図である。特に、図８は、方法１の調整がなされるとき、異なる閾値τに対する誤検出及び誤警告の確率を図示する。図９は、方法２の調整がなされるとき、異なる閾値τに対する誤検出及び誤警告の確率を図示する。図８は、方法３の調整がなされるとき、異なる閾値τに対する誤検出及び誤警告の確率を図示する。
【００８３】
テストは、固定されたＨＳ−ＳＣＣＨＥc／Ｉor（−１１．５、−１２、−１３のそれぞれのテストケース）で、３ＧＰＰＨＳ−ＳＣＣＨテストケース用に実行された。図８乃至１０において、誤検出及び誤警告の確率が、閾値τの異なる値に対して示される。誤警告と誤検出との間のトレードオフは非常に微妙であることがわかる。以下に、誤検出の良好な確率を与えた１つの閾値及び誤警告の合理的な確率を与える１つの閾値が選ばれた。これらは、適応閾値アルゴリズムに使われる合理的な値であって；それでなければ、妥協した固定閾値が使われる必要がある。
2010239630.tif 000017
より低い閾値は、トラフィックバーストの中で使われるように設計され、一方、より高いものは、トラフィックバーストの間で使われるように設計される。
【００８４】
選ばれた方法及び閾値の性能が、３ＧＰＰＴＳ２５．１０１Ｖ５．５．０（２００３−０９）で定義されているＨＳ−ＳＣＣＨにおいて評価される。テストケースは、誤検出の確率の十分に良好な性能だけを要求するものであるが、消費電力を下げるために、誤警告の確率も又考慮されなければならない。
【００８５】
誤警告があるとき、ＨＳ−ＳＣＣＨはＵＥに送信されないので、誤警告確率は、ＨＳ−ＳＣＣＨＥc／Ｉorに依存しない。異なる方法及び閾値にシミュレートした誤警告確率は以下のようになる。
2010239630.tif 000018
上記の誤警告確率に見られるように、方法２は明らかに、他よりも悪い。方法１は、方法３より多少良いように見える。
【００８６】
次に、誤検出の確率、Ｐ（Ｅm）の検討を行う。図１１から図１３は、３つのＨＳ−ＳＣＣＨテストでの３つの方法の性能を描くグラフ図である。さらに、特に、図１１は、３ＧＰＰ ＨＳ−ＳＣＣＨテストケース１での復号方法１、２及び３の性能を描くグラフ図である。図１２は、３ＧＰＰ ＨＳ−ＳＣＣＨテストケース２での復号方法１、２及び３の性能を描くグラフ図である。そして、図１３は、３ＧＰＰ ＨＳ−ＳＣＣＨテストケース３での復号方法１、２及び３の性能を描くグラフ図である。
【００８７】
性能テストから、方法２は、誤検出の確率及び誤警告の確率の両方において、他の２つの方法とは異なる性能である。性能のギャップは、方法１と方法３との間より少ない。方法１は、しかしながら、誤検出の確率及び誤警告の確率の両方において、多少好ましい。
【００８８】
もし先に述べた適応閾値方法が実装されれば、次に示すような実装マージン（低閾値曲線と３ＧＰＰの仕様点との間の距離として示される）が得られる。
2010239630.tif 000019
次のような結論が得られる。ＨＳ−ＳＣＣＨパート１復号の方法が説明され、解析された。研究した方法の全ては、全ての可能なコードワードに相関するＭＬ法に基づく。ＭＬ相関の複雑性は、可能なコードワード数の制限を監視することで減少した。可能なコードワードの減少は、あるものが使われないことでなされ、ある場合には、一番高いＵＥカテゴリを使用しないことからなされる。
【００８９】
ネットワークがＵＥを宛先としているか否かをいかに検出するかの問題に関し、異なる複雑性を備える３つの方法を説明した。３つの方法は、誤検出の確率及び誤警告の確率に関連して、異なる形で実行する。しかしながら、１つの方法は、他の２つより好ましいものとして判断された。
【００９０】
誤検出の確率と誤警告の確率とのトレードオフを避けるために、決定閾値の制御用の適応化方法を説明した。
【００９１】
３ＧＰＰの仕様点と比較すると、提案されたＨＳ−ＳＣＣＨ復号アルゴリズムにより、２．６−３．１ｄＢの実装マージンが得られる。
【００９２】
本発明は、特定の実施例に関連して説明された。しかしながら、当業者にはすぐに理解されるように、上記で説明された好ましい実施例以外の具体的な形で実施することが可能である。これは、本発明の精神を逸脱しない範囲でなされる。
【００９３】
注目すべき点は、バーストであるか否かに依存して、ＵＥが異なる方法でパート１復号を実行することである。一般的に、ＵＥは、バーストであるか否かに依存し、異なる方法でＨＳ−ＳＣＣＨパート１情報の受信を取り扱うことが出来る。
【００９４】
このように、好ましい実施例は説明のためのものであり、いななる場合でも限定的に考慮されるものではない。本発明の技術的範囲は、上述の説明ではなく添付の請求の範囲によって与えられ、当該請求の範囲に入る全ての変形例、等価なものはここに含まれるものとされる。
【図１】
2010239630.tif 000024
【図２】
2010239630.tif 000025
【図３】
2010239630.tif 000026
【図４】
2010239630.tif 000027
【図５】
2010239630.tif 000028
【図６】
2010239630.tif 000029
【図７】
2010239630.tif 000030
【図８】
2010239630.tif 000031
【図９】
2010239630.tif 000032
【図１０】
2010239630.tif 000033
【図１１】
2010239630.tif 000034
【図１２】
2010239630.tif 000035
【図１３】
2010239630.tif 000036
【手続補正書】
【提出日】平成22年6月4日(2010.6.4)
【手続補正１】
【補正対象書類名】明細書
【補正対象項目名】００３３
【補正方法】変更
【補正の内容】
【００３３】
ＨＳＤＰＡの例において、Ｘ1は８ビットベクトルである。したがって、それぞれのＵＥについて２５６の対応するコードワードＳ1がある。コードワードは、S1i,i∈[0,..,255]で列挙される。もし、
2010239630.tif 000037
を導入すれば、決定マトリクスＤは、
2010239630.tif 000038
のように構築される。
【手続補正２】
【補正対象書類名】明細書
【補正対象項目名】００３４
【補正方法】変更
【補正の内容】
【００３４】
各コードｃに対する最尤検出は、したがって対応するＤ行数における最大値に関連する列数であり
2010239630.tif 000039
であると分かる。ＭＬの比較を許可するため、異なるコードからの予測、νc＋ecの分散の予測は
2010239630.tif 000040
と式化され、ここで、"excl"は、指標ｘの排除エレメントを意味し、この場合、１つエレメントの少ない、すなわちピークのない新しいベクトルとなる。したがって、検出は、
2010239630.tif 000041
で定義される。
【手続補正３】
【補正対象書類名】明細書
【補正対象項目名】００３８
【補正方法】変更
【補正の内容】
【００３８】
文書”Texas Instruments: "HS-SCCH: Performance results and improved structure" 3GPP TSG RAN WG1 MEETING 25, [Online] 9 April 2002 (2002-04-09), PARIS, FRANCE（ＵＲＬ：http://www.3gpp.org/ftp/tsg_ran/WG1_RL1/TSGR1_25/Docs/Zips/R1-02-0535.zipでインターネットから取り出される）”は、受信したＨＳ−ＳＣＣＨが有効か否かを、閾値に対するビタビ最尤メトリックの比較に基づいて判定することを開示する。また、他のシステムと同様に、ＨＳＰＤＡにおいて効率的な方法で情報を正確に受信し、復号する相関技術を採用できる方法及び装置を提供することが好ましい。
【手続補正４】
【補正対象書類名】特許請求の範囲
【補正対象項目名】全文
【補正方法】変更
【補正の内容】
【特許請求の範囲】
【請求項１】
可能なコードワードのフルセットを含む高速ダウンリンクパケットアクセス（ＨＳＤＰＡ）システムにおける高速共有制御チャネルパート１（ＨＳ−ＳＣＣＨパート１）メッセージを復号する方法であって、
前記ＨＳ−ＳＣＣＨパート１メッセージを受信するステップと、
前記受信したＨＳ−ＳＣＣＨパート１メッセージに対して、可能なコードワードの縮小セットのコードワードの各々を相関させることにより相関値のセットを生成するステップと、
前記相関値のうち最高の相関値に関連する前記可能なコードワードの縮小セットのコードワードを復号された値として選択するステップと、
を備え、
前記可能なコードワードの縮小セットは、前記可能なコードワードのフルセットから生成されることを特徴とする方法。
【請求項２】
前記可能なコードワードの縮小セットは、何らかの有意性を示すコードワードのみを含むことを特徴とする請求項１に記載の方法。
【請求項３】
前記可能なコードワードの縮小セットは、第１ユーザ機器（ＵＥ）の１つ以上の能力に関連するコードワードのみを含み、
前記可能なコードワードのフルセットは、前記第１ＵＥの１つ以上の能力に関連しない少なくとも１つのコードワードを含み、該少なくとも１つのコードワードは、第２ＵＥの１つ以上の能力に関連することを特徴とする請求項１に記載の方法。
【請求項４】
可能なコードワードのフルセットを含む高速ダウンリンクパケットアクセス（ＨＳＤＰＡ）システムにおける高速共有制御チャネルパート１（ＨＳ−ＳＣＣＨパート１）メッセージを復号する装置であって、
前記ＨＳ−ＳＣＣＨパート１メッセージを受信するロジックと、
前記受信したＨＳ−ＳＣＣＨパート１メッセージに対して、可能なコードワードの縮小セットのコードワードの各々を相関させることにより相関値のセットを生成するロジックと、
前記相関値のうち最高の相関値に関連する前記可能なコードワードの縮小セットのコードワードを復号された値として選択するロジックと、
を備え、
前記可能なコードワードの縮小セットは、前記可能なコードワードのフルセットから生成されることを特徴とする装置。
【請求項５】
前記可能なコードワードの縮小セットは、何らかの有意性を示すコードワードのみを含むことを特徴とする請求項４に記載の装置。
【請求項６】
前記可能なコードワードの縮小セットは、第１ユーザ機器（ＵＥ）の１つ以上の能力に関連するコードワードのみを含み、
前記可能なコードワードのフルセットは、前記第１ＵＥの１つ以上の能力に関連しない少なくとも１つのコードワードを含み、該少なくとも１つのコードワードは、第２ＵＥの１つ以上の能力に関連することを特徴とする請求項４に記載の装置。
【請求項７】
プロセッサに、可能なコードワードのフルセットを含む高速ダウンリンクパケットアクセス（ＨＳＤＰＡ）システムにおける高速共有制御チャネルパート１（ＨＳ−ＳＣＣＨパート１）メッセージを復号させる１つ以上の命令が記憶された機械読み取り可能な記憶媒体であって、
該１つ以上の命令は、
前記ＨＳ−ＳＣＣＨパート１メッセージを受信するステップと、
前記受信したＨＳ−ＳＣＣＨパート１メッセージに対して、可能なコードワードの縮小セットのコードワードの各々を相関させることにより相関値のセットを生成するステップと、
前記相関値のうち最高の相関値に関連する前記可能なコードワードの縮小セットのコードワードを復号された値として選択するステップと、
を前記プロセッサに実行させ、
前記可能なコードワードの縮小セットは、前記可能なコードワードのフルセットから生成されることを特徴とする機械読み取り可能な記憶媒体。
【外国語明細書】
2010239630000001.pdf
2010239630000002.pdf
2010239630000003.pdf
2010239630000004.pdf